(57)【要約】【課題】経年劣化により不用意に開いてしまうおそれがなく、しかも開閉操作が容易な架空配電線用絶縁カバーを提供する。【解決手段】本発明の架空配電線用絶縁カバー１ａは、合成樹脂等によって形成され絶縁性を有するカバー本体２と、このカバー本体２に装着される通し棒３を備えている。  カバー本体２は、長手方向に直交する断面が略半円弧状をなし、ヒンジ部４ａを介して回動自在に連結されるとともに側面４ｂに舌状の操作片５，５が突設された一対の絶縁部材４，４によって構成されており、一端に把持部３ａが設けられた通し棒３は、長手方向に直交する断面が円形をなし、絶縁部材４，４の内部にそれぞれ設置された２つの円筒体に対して挿通可能に形成されている。【選択図】図１
2018068057.tif 000002
【特許請求の範囲】
【請求項１】
ヒンジ部を介して回動自在に連結され架空配電線を間に挟んだ状態で閉じられることにより所定の箇所を被覆可能に形成される一対の絶縁部材と、
この絶縁部材の一方の一端面に設けられた挿通孔へ挿通可能に形成される通し棒と、
前記挿通孔と連通するように前記絶縁部材の他方の内部に設置される第１の筒状体と、を備えたことを特徴とする架空配電線用絶縁カバー。
【請求項２】
前記挿通孔が前記絶縁部材の一方に設けられる代わりに、
一対の前記絶縁部材が前記架空配電線を間に挟んで閉じられた際に、前記挿通孔を形成するように半円状の一対の切欠きが前記絶縁部材の双方の一端面にそれぞれ設けられるとともに、前記第１の筒状体が設置されていない前記絶縁部材の内部に第２の筒状体が前記挿通孔と連通するように設置されたことを特徴とする請求項１に記載の架空配電線用絶縁カバー。
【請求項３】
前記通し棒を閂状に挿通可能に一対の前記切欠きが前記絶縁部材の両端面に設けられるとともに、この両端面から突出可能に前記通し棒が前記絶縁部材よりも長く形成されたことを特徴とする請求項２に記載の架空配電線用絶縁カバー。
【請求項４】
弾性部材からなり、回動される前記絶縁部材の一方に対して接触可能に前記絶縁部材の他方に設置される保持部材を備えたことを特徴とする請求項１乃至請求項３のいずれか１項に記載の架空配電線用絶縁カバー。
【請求項５】
前記通し棒は一端に把持部として他の部分よりも太い部分が設けられたことを特徴とする請求項１乃至請求項４のいずれか１項に記載の架空配電線用絶縁カバー。
【請求項６】
長手方向に直交する断面が半円弧状をなし内径の異なる複数の保持部が一対の前記絶縁部材の両端面に先細りとなるようにそれぞれ段付き状に延設されたことを特徴とする請求項１乃至請求項５のいずれか１項に記載の架空配電線用絶縁カバー。
【請求項７】
一対の前記絶縁部材の側面に舌状の操作片がそれぞれ突設されたことを特徴とする請求項１乃至請求項６のいずれか１項に記載の架空配電線用絶縁カバー。
【発明の詳細な説明】
【技術分野】
【０００１】
本発明は、高圧架線の接続作業時に用いられる絶縁カバーに係り、特に、経年劣化により不用意に開いてしまうおそれのない架空配電線用絶縁カバーに関する。
【背景技術】
【０００２】
高圧架線の接続作業を行う場合、高圧充電部を露出させないように絶縁カバーが取り付けられるが、従来の絶縁カバーでは、ヤットコと共用操作棒という２種類の間接活線工具と、カバー押え器とバインド打ち器などの複数の工具を用いる必要があった。また、オス・メスのホックによってカバーを開閉不能に固定する構造であるため、経年劣化等により、ホックが外れてしまうことがあった。
【０００３】
オス・メスのホックを用いずにカバーを固定する方法としては、例えば、特許文献１に「電線カバーの固定装置」という名称で、係止棒を用いてカバーを固定する構造が開示されている。
特許文献１に開示された考案は、略半円筒状の凹溝からなる挟持部材収納部を有し、ヒンジを介して開閉自在に連結される一対の本体にＵ字型係止筒と鉤状の係止片がそれぞれ設けられるとともに、このＵ字型係止筒と係止片に係止棒が閂のように装着された構造となっている。
上記考案は、電線カバーそのものではないが、電線カバーを固定する装置に関するものであるため、当業者であれば、電線カバーに同様の構造を設けることに想到する可能性がある。その場合、当該電線カバーはオス・メスのホックを備えていないため、経年劣化等によってホックが外れ、勝手にカバーが開いてしまうという前述の問題は生じないものと推察される。
【先行技術文献】
【特許文献】
【０００４】
【特許文献１】実開平３−７４１２６号公報
【発明の概要】
【発明が解決しようとする課題】
【０００５】
しかしながら、特許文献１に記載された考案では、Ｕ字型係止筒と係止片と係止棒が挟持部材収納部の外部に設けられているため、風雨に晒され、やがては経年劣化してしまうおそれがある。また、係止棒が他方側本体上を摺動する構造となっていることから、係止棒の把持が困難であり、したがって、係止棒を把持してスライドさせる操作が容易でない可能性が高い。
【０００６】
本発明はかかる従来の事情に対処してなされたものであり、経年劣化により不用意に開いてしまうおそれがなく、しかも開閉操作が容易な架空配電線用絶縁カバーを提供することを目的とする。
【課題を解決するための手段】
【０００７】
上記目的を達成するため、第１の発明は、ヒンジ部を介して回動自在に連結され架空配電線を間に挟んだ状態で閉じられることにより所定の箇所を被覆可能に形成される一対の絶縁部材と、この絶縁部材の一方の一端面に設けられた挿通孔へ挿通可能に形成される通し棒と、挿通孔と連通するように絶縁部材の他方の内部に設置される第１の筒状体と、を備えたことを特徴とするものである。
【０００８】
このような構造の架空配電線用絶縁カバーにおいては、一対の絶縁部材が架空配電線を間に挟むようにして閉じられた状態で通し棒を挿通孔と第１の筒状体に挿通させると、一対の絶縁部材が回動不能になるという作用を有する。なお、このとき、通し棒と第１の筒状体は一対の絶縁部材の内部に配置されており、風雨に晒されないため、経年劣化し難い。
【０００９】
また、通し棒と第１の筒状体を絶縁部材の長手方向に沿って形成すれば絶縁部材の開閉操作の邪魔にならないため、通し棒が第１の通常体から簡単に抜けてしまわないように、通し棒や第１の筒状体を十分に長く形成することができる。これにより、第１の筒状体に挿通された通し棒が一対の絶縁部材の回動を阻止するという作用が確実に発揮される。
さらに、本発明では、通し棒を絶縁部材の長手方向に沿って移動させるという簡単な操作によって一対の絶縁部材の開閉不能状態と開閉可能状態が切り替わるため、絶縁部材の開閉方向へ係止具を移動させるような構造を備えた従来の絶縁カバーと比べると、架空配電線に取り付けたり、架空配電線から取り外したりする際の作業が格段に容易である。
【００１０】
また、第２の発明は、第１の発明において、挿通孔が絶縁部材の一方に設けられる代わりに、一対の絶縁部材が架空電線を間に挟んで閉じられた際に、挿通孔を形成するように半円状の一対の切欠きが絶縁部材の双方の一端面にそれぞれ設けられ設けられるとともに、第１の筒状体が設置されていない絶縁部材の内部に第２の筒状体が挿通孔と連通するように設置されたことを特徴とするものである。
【００１１】
このような構造の架空配電線用絶縁カバーにおいては、第１の発明の場合とは異なり、一対の絶縁部材が架空配電線を間に挟むようにして閉じられた状態で通し棒を挿通孔と第１の筒状体に挿通しただけでは、一対の絶縁部材が回動不能にはならない。しかし、第２の筒状体は絶縁部材の挿通孔よりも長く形成しても邪魔になり難い。したがって、第２の筒状体を絶縁部材の挿通孔よりも長く形成して、その第２の筒状体に第１の筒状体とともに通し棒を挿通させることによれば、通し棒によって一対の絶縁部材の回動が阻止されるという作用が第１の発明の場合に比べ、より一層確実に発揮される。
【００１２】
第３の発明は、第２の発明において、通し棒を閂状に挿通可能に一対の切欠きが絶縁部材の両端面に設けられるとともに、この両端面から突出可能に通し棒が絶縁部材よりも長く形成されたことを特徴とするものである。
このような構造の架空配電線用絶縁カバーにおいて、一対の絶縁部材が架空配電線を間に挟むようにして閉じられるとともに第１の筒状体と第２の筒状体に挿通された通し棒が絶縁部材の両端から突出した状態にある場合、通し棒の一端を一方の挿通孔から絶縁部材の内部に押し込むと、押し込まれた分だけ通し棒の他端が他方の挿通孔から押し出されるため、通し棒の端部が把持し易くなる。すなわち、本発明は、第２の発明の作用に加えて、通し棒を絶縁部材の内部に差し込んだり、絶縁部材から抜き出したりする操作が容易であるという作用を有する。
【００１３】
第４の発明は、第１の発明乃至第３の発明のいずれかにおいて、弾性部材からなり、回動される絶縁部材の一方に対して接触可能に絶縁部材の他方に設置される保持部材を備えたことを特徴とするものである。
このような構造を備えた架空配電線用絶縁カバーにおいては、第１の発明乃至第３の発明のいずれかの作用に加え、回動する絶縁部材に保持部材が接触することにより、絶縁部材の回動を阻止するような摩擦力が両者の間に発生するという作用を有する。
【００１４】
第５の発明は、第１の発明乃至第４の発明のいずれかにおいて、通し棒は一端に把持部として他の部分よりも太い部分が設けられたことを特徴とするものである。
このような構造の架空配電線用絶縁カバーにおいては、第１の発明乃至第４の発明のいずれかの作用に加え、通し棒の端部を把持し易いため、通し棒を絶縁部材の内部に差し込んだり、絶縁部材から抜き出したりする操作が容易であるという作用を有する。
【００１５】
第６の発明は、第１の発明乃至第５の発明のいずれかにおいて、長手方向に直交する断面が半円弧状をなし内径の異なる複数の保持部が一対の絶縁部材の両端面に先細りとなるようにそれぞれ段付き状に延設されたことを特徴とするものである。
このような構造の架空配電線用絶縁カバーにおいては、第１の発明乃至第５の発明のいずれかの作用に加え、設置対象の架空配電線の外径に対応する内径よりも小さい内径を有する保持部を絶縁部材の先端側から順次除去することにより、適切な保持部が使用可能な状態になるという作用を有する。
【００１６】
第７の発明は、第１の発明乃至第６の発明のいずれかにおいて、一対の絶縁部材の側面に舌状の操作片がそれぞれ突設されたことを特徴とするものである。
このような構造の架空配電線用絶縁カバーにおいては、第１の発明乃至第６の発明のいずれかの作用に加え、絶縁ヤットコなどで操作片を掴むことにより絶縁部材の回動操作が容易になるという作用を有する。
【発明の効果】
【００１７】
第１の発明によれば、通し棒や第１の筒状体が経年劣化し難く、一対の絶縁部材を閉じたままの状態にする機能が維持されるため、絶縁部材が不用意に開いてしまうことを防いで長期間、安全に使用することができる。また、絶縁部材の開閉操作が容易であるため、架空配電線への取り付け作業や架空配電線からの取り外し作業を効率よく行うことができる。
【００１８】
第２の発明によれば、絶縁部材が不用意に開いてしまうことを第１の発明よりもさらに確実に防ぐことができるため、長期間、安全に使用できるという効果がより一層発揮される。
【００１９】
第３の発明によれば、第２の発明の効果に加えて、通し棒を絶縁部材の内部に差し込んだり、絶縁部材から抜き出したりする操作が容易であるため、架空配電線への取り付け作業や架空配電線からの取り外し作業をさらに効率よく行うことができるという効果を奏する。
【００２０】
第４の発明によれば、第１の発明乃至第３の発明のいずれかの効果に加え、絶縁部材が閉じられた状態で通し棒を操作する際に、開かないように絶縁部材を保持しておく必要がないため、架空配電線への取り付けや架空配電線からの取り外しを行う際の作業効率が向上するという効果を奏する。
【００２１】
第５の発明によれば、第１の発明乃至第４の発明のいずれかの効果に加え、通し棒の端部が把持し易く、通し棒を絶縁部材の内部に差し込んだり、絶縁部材から抜き出したりする操作が容易であることから、架空配電線に取り付けたり、架空配電線から取り外したりする作業をさらに効率よく行うことができるという効果を奏する。
【００２２】
第６の発明によれば、第１の発明乃至第５の発明のいずれかの効果を奏することに加え、外径の異なる複数種類の架空配電線に対して適用できるため、汎用性に優れるという効果を奏する。
【００２３】
第７の発明によれば、第１の発明乃至第６の発明のいずれかの効果に加え、絶縁ヤットコなどで操作片を掴むようにして絶縁部材を容易に回動させることができるため、架空配電線に取り付けたり、架空配電線から取り外したりする際の作業性が向上する。
【図面の簡単な説明】
【００２４】
【図１】（ａ）は本発明の実施の形態に係る架空配電線用絶縁カバーの実施例１を示した外観斜視図であり、（ｂ）及び（ｃ）はそれぞれカバー本体及び通し棒の外観斜視図である。
【図２】（ａ）及び（ｂ）は図１（ｂ）におけるＡ方向矢視図であり、（ｃ）は同図（ｂ）の変形例を示した図である。
【図３】（ａ）及び（ｂ）は図１（ａ）の架空配電線用絶縁カバーが架空配電線に取り付けられた状態を示す図である。
【図４】（ａ）は図１（ａ）においてカバー本体が開かれた状態を示した図であり、（ｂ）は図１（ａ）においてカバー本体の内部構造を示した図である。
【図５】（ａ）は本発明の実施の形態に係る架空配電線用絶縁カバーの実施例２を構成するカバー本体の外観斜視図であり、（ｂ）乃至（ｄ）は同図（ａ）におけるＢ方向矢視図であり、（ｅ）は保持部材の外観を拡大して示した斜視図である。
【図６】（ａ）は図５（ａ）におけるＣ−Ｃ線矢視断面図であり、（ｂ）は実施例２の架空配電線用絶縁カバーを構成する通し棒の外観を示した側面図である。
【図７】（ａ）及び（ｂ）は図６（ａ）に示したカバー本体に対して図６（ｂ）に示した通し棒を取り付けた状態を示した図である。
【発明を実施するための形態】
【００２５】
本発明の架空配電線用絶縁カバーについて図１乃至図７を用いて説明する。なお、図６（ａ）や図７（ａ）及び図７（ｂ）は図４（ａ）のようにカバー本体を開いた状態と考えた場合には断面図とは言えないが、断面図としてハッチングを施した方が切欠きの設けられた箇所を鮮明に示すことができるため、便宜上、これらの図を閉じられた状態のカバー本体の断面図として扱っている。
【実施例１】
【００２６】
図１（ａ）は本発明の架空配電線用絶縁カバーの一例の外観を示した斜視図であり、図１（ｂ）及び図１（ｃ）はその架空配電線用絶縁カバーを構成するカバー本体と通し棒の外観をそれぞれ示した斜視図である。
また、図２（ａ）及び図２（ｂ）は図１（ｂ）におけるＡ方向矢視図であり、図２（ｃ）は図２（ｂ）の変形例を示した図である。ただし、図２（ｂ）及び図２（ｃ）は図２（ａ）においてカバー本体を開いた状態を示した図に相当する。
【００２７】
図３（ａ）及び図３（ｂ）はそれぞれ本発明の架空配電線用絶縁カバーが外径の異なる２種類の架空配電線に取り付けられた状態の一例を示した図である。また、図４（ａ）及び図４（ｂ）はカバー本体の内部構造を説明するための図であり、図４（ａ）は図１（ａ）においてカバー本体を１８０度開いた状態に相当する。なお、図４（ｂ）では図１（ａ）におけるカバー本体の内部構造を破線で示している。
【００２８】
図１及び図２に示すように、本発明の架空配電線用絶縁カバー１ａは、合成樹脂等によって形成され絶縁性を有するカバー本体２と、このカバー本体２に装着される通し棒３を備えている。
カバー本体２は、長手方向に直交する断面が略半円弧状をなす一対の絶縁部材４，４によって構成されており、通し棒３は、長手方向に直交する断面が円形をなし、一端に把持部３ａが設けられている。
【００２９】
絶縁部材４は、ヒンジ部４ａを介して回動自在に連結されるとともに側面４ｂに舌状の操作片５，５が突設されており、その両端には、短尺状の保持部４ｃ，４ｄがそれぞれ延設されている。また、絶縁部材４の端面４ｅ，４ｅには、半円状の一対の切欠き４ｆ，４ｆ（図２（ｂ）参照）が対向するように設けられている。そして、カバー本体２が閉じられた場合、絶縁部材４，４に設けられた切欠き４ｆ，４ｆによって、通し棒３の挿通孔６，６（図１（ｂ）又は図２（ａ）参照）が連通した状態に形成される構造となっている。
また、カバー本体２は、絶縁部材４，４がヒンジ部４ａを中心として回動することにより開閉する構造となっており、カバー本体２の内部には、通し棒３を挿通可能に形成される円筒体７，８が挿通孔６，６と連通するように絶縁部材４，４に対してそれぞれ設けられている（図２（ｂ）参照）。
【００３０】
すなわち、架空配電線用絶縁カバー１ａでは、通し棒３を閂状に挿通可能に二対の切欠き４ｅ，４ｅによってカバー本体２の両端面に挿通孔６，６が設けられるとともに、通し棒３は、挿通孔６，６から両端を突出可能に絶縁部材４よりも長く形成されている。
したがって、架空配電線を間に挟むようにして閉じられたカバー本体２の挿通孔６，６から通し棒３の両端が突出している状態で、通し棒３の一端を一方の挿通孔６へ押し込むと、押し込まれた分だけ通し棒３の他端が他方の挿通孔６から押し出される。
加えて、通し棒３は把持部３ａが他の部分よりも太く、把持し易い形状となっており、絶縁部材４は側面４ｂに設けられた操作片５を絶縁ヤットコなどで掴むことにより、その開閉操作が容易な構造となっている。
【００３１】
このように、架空配電線用絶縁カバー１ａでは、通し棒３をカバー本体２の内部に差し込んだり、カバー本体２から抜き出したりする操作やカバー本体２を開閉させる操作が容易である。したがって、架空配電線用絶縁カバー１ａは、架空配電線への取り付けや架空配電線からの取り外しを行う際の作業性が良いという効果を有している。
【００３２】
また、保持部４ｃ，４ｃ及び保持部４ｄ，４ｄは、絶縁部材４，４を閉じた場合、内径の異なる２種類の円筒体を構成し、保持部４ｄ，４ｄはカッター等を用いることによって、保持部４ｃ，４ｃを残したまま、絶縁部材４，４から容易に切除可能な構造となっている。
したがって、図３（ａ）に示すように、保持部４ｄ，４ｄの内径よりも外径がやや太い架空配電線９ａを間に挟むようにして絶縁部材４，４を閉じた場合、架空配電線９ａは保持部４ｄ，４ｄによって挟圧固定される。一方、図３（ｂ）に示すように、保持部４ｄ，４ｄが切除された絶縁部材４，４を用いると、架空配電線９ａよりも外径の太い架空配電線９ｂが保持部４ｃ，４ｃによって挟圧固定される。
【００３３】
このように、架空配電線用絶縁カバー１ａは、外径の異なる２種類の架空配電線に対して適用可能な構造となっているため、汎用性に優れている。なお、本実施例では、絶縁部材４に対して内径の異なる２種類の保持部が設けられているが、これに限定されるものではなく、絶縁部材４に対して３種類以上の保持部が設けられた構造であっても良い。
【００３４】
図４（ａ）に示すように、通し棒３が円筒体７にのみ挿通されている場合、絶縁部材４，４のヒンジ部４ａを中心とする回動が制限されないため、カバー本体２は開閉可能である。これに対し、図４（ｂ）に示すように、カバー本体２が閉じられた状態で通し棒３が円筒体７，８に挿通されると、絶縁部材４，４のヒンジ部４ａを中心とする回動が制限されるため、カバー本体２を開くことはできない。
【００３５】
このように、架空配電線用絶縁カバー１ａにおいては、絶縁部材４，４が架空配電線を間に挟むようにして閉じられた状態で通し棒３を円筒体７，８に挿通させることにより、絶縁部材４，４の回動が規制され、カバー本体２が開閉不能になるという作用を有する。また、このとき、通し棒３と円筒体７，８はカバー本体２の内部に配置されており、風雨に晒されないため、経年劣化し難いという作用を有する。
【００３６】
なお、通し棒３と円筒体７，８をカバー本体２の長手方向に沿って形成すればカバー本体２の開閉操作の邪魔になることはない。したがって、架空配電線用絶縁カバー１ａでは、通し棒３が円筒体７，８から簡単に抜けてしまうことがないように、それらを十分に長く形成することが可能である。このようにすれば、円筒体７，８に挿通された通し棒３によってカバー本体２が開閉不能になるという上記作用が確実に発揮される。
【００３７】
さらに、架空配電線用絶縁カバー１ａでは、通し棒３をカバー本体２の長手方向に沿って移動させるという簡単な操作によってカバー本体２の開閉不能状態と開閉可能状態が切り替わるため、絶縁部材の開閉方向へ係止具を移動させるような構造を備えた従来技術に係る絶縁カバーと比べると、架空配電線に取り付けたり、架空配電線から取り外したりする際の作業が格段に容易である。
【００３８】
なお、本実施例では、挿通孔６が切欠き４ｆ，４ｆによって形成される構造となっているが、挿通孔６は、このような構造に限定されるものではなく、一方の絶縁部材４の端面４ｅに挿通孔６が設けられるとともに、挿通孔６を形成するように半円状に突出した部分が嵌まり込むような切欠き４ｈが他方の絶縁部材４の端面４ｅに設けられた構造であっても良い（図２（ｃ）参照）。
この場合、端面４ｅに挿通孔６が設けられていない絶縁部材４に対してのみ、その内部に円筒体８を設置すれば、挿通孔６と円筒体８に通し棒３を挿通することでカバー本体２が開閉不能な状態になるため、端面４ｅに挿通孔６が設けられている絶縁部材４に対しては、円筒体７の設置を省略することができる。
【実施例２】
【００３９】
図５（ａ）は本実施例の架空配電線用絶縁カバーを構成するカバー本体の外観を示した斜視図であり、図５（ｂ）乃至図５（ｄ）は図５（ａ）におけるＢ方向矢視図であり、図５（ｅ）は保持部材の外観を拡大して示した斜視図である。ただし、図５（ｃ）は図５（ｂ）において保持部材を取り外した状態を示した図に相当し、図５（ｄ）は図５（ｂ）においてカバー本体を開いた状態を示した図に相当する。
また、図６（ａ）は図５（ａ）におけるＣ−Ｃ線矢視断面図であり、図６（ｂ）は本実施例の架空配電線用絶縁カバーを構成する通し棒の外観を示した側面図である。さらに、図７（ａ）及び図７（ｂ）は図６（ａ）に示したカバー本体に対して図６（ｂ）に示した通し棒を取り付けた状態を示した図である。
なお、図１乃至図４に示した構成要素については同一の符号を付して、その説明を省略する。
【００４０】
架空配電線用絶縁カバー1ｂ（図７参照）は、実施例１の架空配電線用絶縁カバー1ａにおいて、図６（ａ）に示すように円筒体７，８の内径が同一ではなく、図６（ｂ）に示すように、それら２種類の内径に対応する小径部３ｂ，３ｃと大径部３ｄ，３ｅが通し棒３に設けられるとともに、保持部材１０が絶縁部材４，４の当接面４ｉ（図５（ｄ）参照）に設置された構造となっている（図５（ａ）及び図５（ｂ）参照）。
【００４１】
図５（ｄ）に示すように、絶縁部材４，４の端面４ｅ，４ｅには、矩形状の一対の切欠き４ｇ，４ｇが対向するように設けられている。また、図５（ｅ）に示すように、保持部材１０は側面視矩形状をなすとともに、厚さ方向の略中央に環状の凹溝が設けられることで、他の部分よりも一回り小さな矩形板状をなす嵌込部１０ａが形成されている。
【００４２】
切欠き４ｇ，４ｇはカバー本体２が閉じられた際に保持部材１０の嵌込部１０ａに嵌合可能な矩形状の保持孔１１を形成する（図５（ｃ）参照）。そして、図５（ｄ）に示すように、カバー本体２が閉いている場合、保持部材１０は嵌込部１０ａが切欠き４ｇに嵌め込まれた状態で絶縁部材４，４のいずれか一方によって保持されている（図５（ｄ）参照）。
【００４３】
保持部材１０はゴムやエラストマーなどの弾性部材によって形成されているため、絶縁部材４と保持部材１０が擦り合わさると、両者の間に大きな摩擦力が発生する。すなわち、カバー本体２が閉じられている場合、絶縁部材４，４と保持部材１０が接触しているため、カバー本体２を開こうとすると、絶縁部材４，４と保持部材１０の間に発生する摩擦力が絶縁部材４，４の回動を阻止するように働く。そのため、架空配電線用絶縁カバー１ｂでは、閉じられた状態のカバー本体２が不用意に開くおそれはない。
したがって、架空配電線用絶縁カバー１ｂでは、カバー本体２が閉じられた状態で通し棒３を操作する際にカバー本体２が開かないように絶縁部材４，４を保持しておく必要がない。そのため、架空配電線への取り付け作業や架空配電線からの取り外し作業を効率よく行うことができる。
【００４４】
通し棒３は、小径部３ｂの外径が円筒体７の内径より細くなるとともに、大径部３ｅの外径が円筒体７の内径よりも太く、かつ、円筒体８の内径よりも細くなるように形成されている。
また、大径部３ｄ，３ｅはカバー本体２の両端に設けられた挿通孔６，６（図５（ａ）参照）に対して嵌合可能に形成されており、通し棒３をカバー本体２に貫通させた場合に、挿通孔６，６に対して嵌合するように、通し棒３の両端近傍にそれぞれ設けられている（図７（ｂ）参照）。
さらに、大径部３ｅは円筒体７と円筒体８の間隔よりも短く形成されており（図７（ａ）参照）、通し棒３の先端には大径部３ｅよりも外径が細い小径部３ｃが設けられている。
そして、把持部３ａは外径が挿通孔６の内径よりも太くなるように形成されている。  
【００４５】
このような構造の架空配電線用絶縁カバー１ｂにおいては、図７（ａ）に示すように、大径部３ｅが円筒体７の端面に係止するため、大径部３ｅが円筒体７の内部を通過して通し棒３がカバー本体２から抜け落ちてしまうおそれはない。
また、図７（ｂ）に示すように、把持部３ａが絶縁部材４の端面４ｅに係止するため、把持部３ａが挿通孔６に嵌まり込んでしまうおそれもない。
なお、通し棒３は、大径部３ｄが一方の挿通孔６に嵌合する位置までカバー本体２の内部に差し込まれると、他方の挿通孔６に大径部３ｅが嵌合するように形成されている。
【００４６】
このように、架空配電線用絶縁カバー１ｂでは、通し棒３をカバー本体２の内部に差し込んだ通し棒３が抜け落ちることがなく、また、挿通孔６，６によって大径部３ｄ，３ｅが保持されるため、勝手にカバー本体２の軸方向に沿って通し棒３が移動してしまうこともない。したがって、架空配電線用絶縁カバー１ｂを用いることによれば、架空配電線に対し、所望の箇所の絶縁状態を長期間安定して維持することができる。
【００４７】
なお、本発明の架空配電線用絶縁カバーは、実施例１，２に示した構造に限定されるものではない。例えば、絶縁部材４は少なくとも円筒体７，８を内部に設置可能な中空構造であれば良く、必ずしも略半円弧状をなしていなくとも良い。また、円筒体７，８の代わりに、角筒体を用いても良いし、長手方向に直交する断面が円以外の形状をなす筒状体を用いても良い。
さらに、保持部材１０が嵌め込まれる切欠き４ｇは、絶縁部材４の端面４ｅの当接面４ｉに限らず、カバー本体２の軸に平行であってヒンジ部４ａが設けられていない側の当接面４ｊ（図４（ａ）参照）に設けられていても良い。
【産業上の利用可能性】
【００４８】
本発明は、高圧架線の接続作業時に高圧充電部の露出を防ぐ目的で使用される。
【符号の説明】
【００４９】
１ａ，１ｂ…架空配電線用絶縁カバー  ２…カバー本体  ３…通し棒  ３ａ…把持部  ３ｂ，３ｃ…小径部  ３ｄ，３ｅ…大径部  ４…絶縁部材  ４ａ…ヒンジ部  ４ｂ…側面  ４ｃ，４ｄ…保持部  ４ｅ…端面  ４ｆ〜４ｈ…切欠き  ４ｉ，４ｊ…当接面  ５…操作片  ６…挿通孔  ７，８…円筒体  ９ａ，９ｂ…架空配電線  １０…保持部材  １０ａ…嵌込部  １１…保持孔
【図１】
2018068057.tif 000003
【図２】
2018068057.tif 000004
【図３】
2018068057.tif 000005
【図４】
2018068057.tif 000006
【図５】
2018068057.tif 000007
【図６】
2018068057.tif 000008
【図７】
2018068057.tif 000009